(57)【要約】【課題】相手側コネクタを嵌合する際、基板用コネクタがケースの内方に変位することを防ぐことが可能な基板用コネクタのハウジング、基板用コネクタ及びケース付き基板用コネクタを提供する。【解決手段】回路基板Ｐに接続される基板用コネクタ１０のハウジング１２であって、前記回路基板Ｐを内部に収容可能なケース４０の開口部４１から相手側コネクタ５０との嵌合面を外部に露出した状態で配されるものであり、前記ケース４０の開口部４１の周縁部に対し、前記ケース４０の外方から係止する外側係止突部３１を備えている。【選択図】図９
2018097957.tif 000002
【特許請求の範囲】
【請求項１】
回路基板に接続される基板用コネクタのハウジングであって、
前記回路基板を内部に収容可能なケースの開口部から相手側コネクタとの嵌合面を外部に露出した状態で配されるものであり、
前記ケースの開口部の周縁部に対し、前記ケースの外方から係止する外側係止突部を備えている基板用コネクタのハウジング。
【請求項２】
前記相手側コネクタを正規の嵌合状態にロックするロック構造と、
前記ロック構造の側方に立設された壁部と、を有し、
前記壁部が前記外側係止突部に連なっている請求項１に記載の基板用コネクタのハウジング。
【請求項３】
前記ケースの開口部の周縁部に対し、前記ケースの内方から係止する内側係止突部を備えている請求項１または請求項２に記載の基板用コネクタのハウジング。
【請求項４】
前記外側係止突部のうち前記ケースに接する側の面を除いた面に肉抜きが形成されている請求項１ないし請求項３のいずれか一項に記載の基板用コネクタのハウジング。
【請求項５】
前記ケースの開口部の周縁部に対し、前記ケースの内方から係止する内側係止突部を備え、
前記内側係止突部のうち前記ケースに接する側の面を除いた面に肉抜きが形成されている請求項１ないし請求項４のいずれか一項に記載の基板用コネクタのハウジング。
【請求項６】
前記ケースの開口部の周縁部に対し、前記ケースの内方から係止する内側係止突部を備え、
前記外側係止突部及び前記内側係止突部のうち前記ケースへの取り付け方向前端部にテーパ面が形成されている請求項１ないし請求項５のいずれか一項に記載の基板用コネクタのハウジング。
【請求項７】
請求項１ないし請求項６のいずれか一項に記載の基板用コネクタのハウジングと、
前記ハウジングに保持されて回路基板に接続される端子金具と、を備えている基板用コネクタ。
【請求項８】
請求項７に記載の基板用コネクタと、
前記回路基板を内部に収容可能なケースと、を備えているケース付き基板用コネクタ。
【発明の詳細な説明】
【技術分野】
【０００１】
本発明は、基板用コネクタのハウジング、基板用コネクタ及びケース付き基板用コネクタに関する。
【背景技術】
【０００２】
従来、回路基板に接続される基板用コネクタが知られている。例えば下記特許文献１に記載の基板用コネクタは、回路基板を内部に収容可能なケース付きのものであり、ケースの開口部から相手側コネクタとの嵌合面を外部に露出した状態になっている。基板用コネクタは、ケースに設けられた支持手段に回路基板が支持されることで、ケースに固定されている。
【先行技術文献】
【特許文献】
【０００３】
【特許文献１】特開２００５−３１７３５７号公報
【発明の概要】
【発明が解決しようとする課題】
【０００４】
しかしながら、上記のような構成では、相手側コネクタを基板用コネクタに嵌合する際に、基板用コネクタが嵌合方向に押されてケースの内方へ変位する虞がある。基板用コネクタが変位すると、ケースに支持されている回路基板が歪む虞があるため対策が望まれていた。
【０００５】
本発明は上記のような事情に基づいて完成されたものであって、相手側コネクタを嵌合する際、基板用コネクタがケースの内方に変位することを防ぐことが可能な基板用コネクタのハウジング、基板用コネクタ及びケース付き基板用コネクタを提供することを目的とする。
【課題を解決するための手段】
【０００６】
本発明の基板用コネクタのハウジングは、回路基板に接続される基板用コネクタのハウジングであって、前記回路基板を内部に収容可能なケースの開口部から相手側コネクタとの嵌合面を外部に露出した状態で配されるものであり、前記ケースの開口部の周縁部に対し、前記ケースの外方から係止する外側係止突部を備えているものである。
【０００７】
本発明の基板用コネクタは、前記基板用コネクタのハウジングと、前記ハウジングに保持されて回路基板に接続される端子金具と、を備えているものである。
本発明のケース付き基板用コネクタは、前記基板用コネクタと、前記回路基板を内部に収容可能なケースと、を備えているものである。
【発明の効果】
【０００８】
本発明によれば、相手側コネクタを嵌合する際、外側係止突部がケースに係止することにより、基板用コネクタのハウジングがケースの内方に変位することを防ぐことができる。
【図面の簡単な説明】
【０００９】
【図１】本実施例における基板用コネクタと相手側コネクタとの正規の嵌合状態を示す断面図
【図２】基板用コネクタと相手側コネクタとが正規の嵌合状態にロックされた状態を示す断面図
【図３】ハウジングの正面図
【図４】ハウジングの背面図
【図５】ハウジングの平面図
【図６】ハウジングの底面図
【図７】ハウジングの側面図
【図８】外側係止突部及び内側係止突部のテーパ面を示すケース付き基板用コネクタの断面図
【図９】外側係止突部及び内側係止突部が開口周縁部に係止している状態を示すケース付き基板用コネクタの断面図
【発明を実施するための形態】
【００１０】
本発明の好ましい形態を以下に示す。
本発明の基板用コネクタのハウジングは、前記相手側コネクタを正規の嵌合状態にロックするロック構造と、前記ロック構造の側方に立設された壁部と、を有し、前記壁部が前記外側係止突部に連なっているものとしてもよい。このような構成によれば、外側係止突部が壁部によって補強されるから、外側係止突部の耐久性を増すことができる。
【００１１】
また、本発明の基板用コネクタのハウジングは、前記ケースの開口部の周縁部に対し、前記ケースの内方から係止する内側係止突部を備えているものとしてもよい。このような構成によれば、相手側コネクタを離脱する際、内側係止突部がケースに係止することにより、基板用コネクタのハウジングがケースの外方に変位することを防ぐことができる。
【００１２】
また、本発明の基板用コネクタのハウジングは、前記外側係止突部のうち前記ケースに接する側の面を除いた面に肉抜きが形成されているものとしてもよい。このような構成によれば、外側係止突部のうちケースに接する側の面の面積が肉抜きによって減らないから、外側係止突部がケースに係止する際に外側係止突部にかかる荷重が、ケースに接する側の面に肉抜きが形成されている場合に比して広く分散されるので、外側係止突部の耐久性を増すことができる。
【００１３】
また、本発明の基板用コネクタのハウジングは、前記内側係止突部のうち前記ケースに接する側の面を除いた面に肉抜きが形成されているものとしてもよい。このような構成によれば、内側係止突部のうちケースに接する側の面の面積が肉抜きによって減らないから、内側係止突部がケースに係止する際に内側係止突部にかかる荷重が、ケースに接する側の面に肉抜きが形成されている場合に比して広く分散されるので、内側係止突部の耐久性を増すことができる。
【００１４】
また、本発明の基板用コネクタのハウジングは、前記外側係止突部及び前記内側係止突部のうち前記ケースへの取り付け方向前端部にテーパ面が形成されているものとしてもよい。このような構成によれば、外側係止突部と内側係止突部との間にケースの開口部の周縁部が挿入される際、開口部の周縁部がテーパ面の傾斜によって、外側係止突部と内側係止突部との間に誘導されるから、基板用コネクタのハウジングをスムーズにケースに取り付けることができる。
【００１５】
＜実施例＞
以下、本発明を具体化した一実施例について、図１〜図９を参照しつつ詳細に説明する。
本実施例におけるケース付き基板用コネクタ１０は、回路基板Ｐに接続された基板用コネクタ１０と、回路基板Ｐを内部に収容可能なケース４０とを備えている。基板用コネクタ１０は、相手側コネクタ５０との嵌合面をケース４０の開口部４１からケース４０の外部に露出した状態になっている。ケース４０の開口部４１は、ケース４０の内部と外部とに連通するとともに、基板用コネクタ１０の取り付け方向に開放されている。また、開口部４１の周縁部（以後、開口周縁部４２と称する）は、その外周縁に設けられた段差によって、ケース４０の内側に一段入り込んだ位置に配されている。
【００１６】
以下、各構成部材において、各コネクタ１０，５０における嵌合面側（基板用コネクタ１０については図１の上側、相手側コネクタ５０については図１の下側）をそれぞれ前方とし、また、図１の左側（ロック構造が設けられている側）を上方、右側を下方として説明する。
【００１７】
基板用コネクタ１０は、回路基板Ｐに接続された複数（本実施例では４本）の端子金具１１と、端子金具１１を保持するハウジング１２とを備えている。
ハウジング１２は、合成樹脂製であって、相手側コネクタ５０と嵌合可能なフード部１３を備えている。フード部１３は、正方形に近い方形状をなして前方に開口した角筒状をなしている。
【００１８】
ハウジング１２には、図２に示すように、回路基板Ｐを固定する固定部１５が設けられている。固定部１５は、回路基板ＰをネジＳで固定するものであり、中央部にねじ穴１６が形成された円筒形状をなしている（図４参照）。固定部１５は、ハウジング１２の後端部に設けられ、ハウジング１２の幅方向における中央部に位置している。固定部１５は、ハウジング１２の下面側に寄った位置に配され、固定部１５の一部がハウジング１２の下面から下方に膨出している。回路基板Ｐは、その板面が前後方向に対して略直交する向きで基板用コネクタ１０に固定される。
【００１９】
ハウジング１２には、回路基板Ｐを回り止めする回り止め部１４が設けられている。回り止め部１４は、ハウジング１２の後面から後方に突出して、回路基板Ｐを板厚方向に貫通している。回り止め部１４は、ハウジング１２の後面において対角線上に位置する角部に一対が設けられている（図４参照）。
【００２０】
ハウジング１２には、相手側コネクタ５０を正規の嵌合状態にロックするロック突起（ロック構造）１７が設けられている。ロック突起１７は、図３に示すように、ハウジング１２の上面の幅方向における中央部に突設されている。ロック突起１７は、図２に示すように、ハウジング１２の前端寄りに位置し、ロック突起１７の後面は、ハウジング１２の上面に対して略垂直に切り立ったロック受け部１８とされ、ロック突起１７の前面は、相手側コネクタ５０に設けられたロックアーム５６の乗り上がり動作を案内するべく傾斜したロック案内部１９とされている。
【００２１】
ロック突起１７の側方には、図３に示すように、壁部２１が立設されている。壁部２１は、ハウジング１２の上面においてロック突起１７の左右両側に設けられている。壁部２１の高さ寸法は、ロック突起１７の高さ寸法より若干大きくされている。両壁部２１は、図５に示すように、前後方向に長く、ロック突起１７の前端よりも前方の位置からハウジング１２の後端寄りの位置に至るまで直線状に延びている。
【００２２】
ハウジング１２には、ケース４０の開口部４１の周縁部に外方から係止する係止突部（以後、外側係止突部３１と称する）と、内方から係止する係止突部（以後、内側係止突部３２と称する）とが備えられている。外側係止突部３１及び内側係止突部３２については、後ほど詳しく説明する。
【００２３】
端子金具１１は、図１に示すように、全体として細長い棒状をなし、一端側は相手側コネクタ５０と電気的に接続されるコネクタ側接続部２２とされ、他端側は回路基板Ｐに電気的に接続される基板側接続部２３とされている。端子金具１１は、全体として直線状をなし、フード部１３の奥端（後端）に設けられた端子保持部２４を前後方向に貫通した状態でハウジング１２に保持されている。端子金具１１は、複数（本実施例では４本）が、上下左右に並べて配されている。コネクタ側接続部２２は、端子保持部２４の前面（嵌合面）から前方に突出し、フード部１３に嵌合した相手側コネクタ５０と導通接続される。基板側接続部２３は、ハウジング１２から後方に突出し、回路基板Ｐの導電路に対して半田付けにより導通接続される。
【００２４】
相手側コネクタ５０は、電線の端末部に接続された複数の端子金具（以後、相手側端子金具５１と称する）と、相手側端子金具５１を保持するハウジング（以後、相手側ハウジング５２と称する）とを備えている。
【００２５】
相手側ハウジング５２は、合成樹脂製であって、相手側端子金具５１が収容される端子収容部５３と、端子収容部５３の外周側を囲う外筒部５４とを備えている。端子収容部５３は、フード部１３の内側に嵌合し、外筒部５４は、フード部１３の外側に嵌合する。端子収容部５３には、相手側端子金具５１を後方から収容可能なキャビティ５５が複数設けられている。
【００２６】
相手側ハウジング５２は、ハウジング１２のロック突起１７に係止可能なロックアーム（ロック構造）５６を備えている。ロックアーム５６は、図９に示すように、相手側ハウジング５２の幅方向における中央部に設けられている。ロックアーム５６は、前後方向に長いアーム部５７の中央部が支持された形態をなし、シーソー状に弾性撓み可能とされている。ロックアーム５６の前端部には、ロック突起１７のロック受け部１８に係止するロック係止部５８が設けられている。
【００２７】
さて、ハウジング１２には、図９に示すように、ケース４０の開口周縁部４２に対し、ケース４０の外方から係止する外側係止突部３１と、ケース４０の内方から係止する内側係止突部３２とが設けられている。
【００２８】
外側係止突部３１及び内側係止突部３２は、ハウジング１２の外周面から外方（相手側コネクタ５０との嵌合方向と交差する方向）に突出して設けられている。外側係止突部３１及び内側係止突部３２は、ハウジング１２の外周面に対し略垂直をなしている。内側係止突部３２は、ハウジング１２の後端に設けられ、外側係止突部３１は、内側係止突部３２よりも前側の位置に設けられている。外側係止突部３１と内側係止突部３２との間には、ケース４０の開口周縁部４２の厚さ寸法と同等の間隔があけられている。外側係止突部３１の厚さ寸法（前後方向の寸法）は、内側係止突部３２の厚さ寸法よりも小さくされている。
【００２９】
外側係止突部３１の後面（ケース４０に接する側の面）は、ケース４０の外面に面当たり可能な外当接面３３とされ、内側係止突部３２の前面（ケース４０に接する側の面）は、ケース４０の内面に面当たり可能な内当接面３４とされている。外当接面３３及び内当接面３４は、図３及び図４に示すように、いずれも全体が偏平な面とされている。なお、内側係止突部３２の後面とハウジング１２の後面とは段差なく連なっている。
【００３０】
外側係止突部３１は、図３に示すように、ハウジング１２の周方向に間欠的に複数が設けられている。外側係止突部３１は、ハウジング１２の角部に設けられ、ハウジング１２の角部の丸みに沿って突出している。外側係止突部３１の突出端面は、ハウジング１２の外周面と略平行をなして丸く湾曲している。これにより、例えば多数のハウジング１２が纏めて管理される場合等に、外側係止突部３１が他のハウジング１２等に接触してこれらを傷つけることを防ぐことができる。
【００３１】
外側係止突部３１は、ハウジング１２の全ての角部に設けられている。ハウジング１２の上側の角部に設けられた一対の外側係止突部３１（以後、第１外側係止突部３１Ｆと称する）同士、ハウジング１２の下側の角部に設けられた一対の外側係止突部３１（以後、第２外側係止突部３１Ｓと称する）同士は、同じ形状とされている。すなわち外側係止突部３１は、ハウジング１２の幅方向（左右方向）における中心を境に対称な形状をなしている。
【００３２】
第１外側係止突部３１Ｆは、ハウジング１２の左右両側及び上側に突出している。第１外側係止突部３１Ｆのうちハウジング１２の上側に突出した部分は壁部２１と繋がっている。言い換えると、第１外側係止突部３１Ｆは、壁部２１の壁面に沿ってハウジング１２の上方に突出している。第１外側係止突部３１Ｆは、図５に示すように、壁部２１の後端部に直角をなして連なり、第１外側係止突部３１Ｆと壁部２１とは、平面視、Ｌ字状をなしている。
【００３３】
第２外側係止突部３１Ｓは、図３に示すように、ハウジング１２の左右両側に突出する一方、ハウジング１２の下側には突出しておらず、ハウジング１２の下面に段差なく連なっている。一対の第２外側係止突部３１Ｓは、図４に示すように、固定部１５の左右両側に隣接して設けられている。第２外側係止突部３１Ｓの外当接面３３は、第１外側係止突部３１Ｆの外当接面３３よりも面積が小さくされている。
第１外側係止突部３１Ｆの下面と第２外側係止突部３１Ｓの上面とは、互いに略平行をなし、ハウジング１２の左右両側面に対して略垂直をなしている。
【００３４】
内側係止突部３２は、図４に示すように、ハウジング１２の左右両側に一対が設けられている。一対の内側係止突部３２は、ハウジング１２の上下方向における中央部に設けられ、外側係止突部３１と上下方向にずれた位置（第１外側係止突部３１Ｆと第２外側係止突部３１Ｓとの間の位置）に配されている。
【００３５】
内側係止突部３２は、正面から見ると、方形状をなしている。内側係止突部３２の突出端面はハウジング１２の左右両側面と略平行をなし、内側係止突部３２の上下両面はハウジング１２の左右両側面と略直角をなしている。内側係止突部３２の上面は、第１外側係止突部３１Ｆの下面と略平行をなし、内側係止突部３２の下面は、第２外側係止突部３１Ｓの上面と略平行をなしている。
【００３６】
内側係止突部３２の左右方向の突出寸法は、外側係止突部３１の左右方向の突出寸法と同等とされている。言い換えると、外側係止突部３１の突出端面と内側係止突部３２の突出端面とは、左右方向における位置が揃っている。
【００３７】
外側係止突部３１の前面（図３参照）及び内側係止突部３２の後面（図４参照）、すなわちケース４０に接する側の面を除いた面には肉抜き３６が形成されている。肉抜き３６は、外側係止突部３１の前面及び内側係止突部３２の後面のうち外縁部３７を残した中央部分に凹み形成されている。第１外側係止突部３１Ｆの外縁部３７は壁部２１に連なっている。なお、外側係止突部３１の前面（肉抜き３６の奥面）および内側係止突部３２の前面は、金型からハウジング１２を押し出して取り出すための図示しないエジェクタピンによって押圧される押圧面３５とされている。
【００３８】
外側係止突部３１及び内側係止突部３２のうちケース４０への取り付け方向前端部にはテーパ面３８が形成されている（図７参照）。テーパ面３８は、全ての外側係止突部３１及び内側係止突部３２に設けられている。テーパ面３８は、外側係止突部３１の外当接面３３の端部及び内側係止突部３２の内当接面３４の端部に形成された傾斜面である。テーパ面３８は、外当接面３３の上下両端部及び内当接面３４の上下両端部、すなわち外当接面３３及び内当接面３４のケース４０への取り付け方向における前後両端部に設けられ、ハウジング１２のケース４０に対する取り付け方向を逆向きにすることに対応している。
【００３９】
次に、本実施例における基板用コネクタ１０をケース４０に取り付ける作業の一例を説明する。
図８に示すように、開口部４１の開放側から基板用コネクタ１０をスライドさせて入れ込む。外側係止突部３１と内側係止突部３２との間に開口周縁部４２が入り込むようにして基板用コネクタ１０をスライドさせる。このとき、外側係止突部３１のテーパ面３８が開口周縁部４２に当接すると、テーパ面３８の傾斜によって基板用コネクタ１０は前方へ変位し、外側係止突部３１は開口周縁部４２の外側に配される。また、内側係止突部３２のテーパ面３８が開口周縁部４２に当接すると、テーパ面３８の傾斜によって基板用コネクタ１０は後方へ変位し、内側係止突部３２は開口周縁部４２の内側に配される。こうして外側係止突部３１と内側係止突部３２との間に、開口周縁部４２がスムーズに誘い込まれ、基板用コネクタ１０は開口部４１の開放側から奥側へ入り込んで正規の取り付け位置に至る。基板用コネクタ１０の回路基板Ｐは、ケース４０の図示しない支持構造に支持され、基板用コネクタ１０はケース４０に取り付けられた状態になる。
【００４０】
ケース４０に取り付けられた状態の基板用コネクタ１０において、外側係止突部３１は、ケース４０の内部への異物侵入防止部としても機能する。すなわち、ケース４０の開口周縁部４２と基板用コネクタ１０のハウジング１２との間にある隙間が外側係止突部３１によって部分的に覆われることで、この隙間からケース４０の内部に異物が入り込むことを防ぐことができる。これにより、ケース４０の内部に入り込んだ異物が、例えば回路基板Ｐと端子金具１１との半田接続箇所に導通不良を引き起こしたり、基板回路をショートさせることを防ぐことができる。
【００４１】
次に、本実施例における基板用コネクタ１０と相手側コネクタ５０との嵌合作業及び離脱作業の一例を説明する。
まず、基板用コネクタ１０と相手側コネクタ５０とを嵌合する作業について説明する。相手側コネクタ５０の端子収容部５３を基板用コネクタ１０のフード部１３の内側に入れるようにして両コネクタ１０，５０を嵌め合わせる。このとき、基板用コネクタ１０は後方に押され、後方（ケース４０の内方）に変位しようとする。すると、外側係止突部３１の外当接面３３が開口周縁部４２の外面に当接し、基板用コネクタ１０の後方への変位（ケース４０の内方への変位）が止められる。両コネクタ１０，５０が正規の嵌合状態に至ると、相手側コネクタ５０のロックアーム５６が基板用コネクタ１０のロック突起１７を乗り越えて弾性復帰し、ロックアーム５６とロック突起１７とがロック状態になり、また相手側端子金具５１と端子金具１１とが電気的に接続された状態になる。
【００４２】
次に、基板用コネクタ１０と相手側コネクタ５０とを離脱する作業について説明する。相手側コネクタ５０のロックアーム５６をロック解除方向に変位させてロック突起１７とのロック状態を解除し、相手側コネクタ５０と基板用コネクタ１０とを引き離す。このとき、基板用コネクタ１０は前方に引っ張られ、前方（ケース４０の外方）に変位しようとする。すると、内側係止突部３２の内当接面３４が開口周縁部４２の内面に当接し、基板用コネクタ１０の前方への変位（ケース４０の外方への変位）が止められる。両コネクタ１０，５０は、互いに離間した状態になる。
【００４３】
次に、上記のように構成された実施例の作用および効果について説明する。
本実施例の基板用コネクタ１０のハウジング１２は、回路基板Ｐを内部に収容可能なケース４０の開口部４１から相手側コネクタ５０との嵌合面を外部に露出した状態で配されるものであり、ケース４０の開口周縁部４２に対し、ケース４０の外方から係止する外側係止突部３１を備えているものである。この構成によれば、相手側コネクタ５０を嵌合する際、外側係止突部３１がケース４０の外方から開口周縁部４２に係止するから、基板用コネクタ１０のハウジング１２がケース４０の内方に変位することを防ぐことができる。
【００４４】
また、ハウジング１２が、相手側コネクタ５０を正規の嵌合状態にロックするロック突起１７と、ロック突起１７の側方に立設された壁部２１と、を有し、壁部２１が外側係止突部３１に連なっている。この構成によれば、外側係止突部３１が壁部２１によって補強されるから、外側係止突部３１の耐久性を増すことができる。
【００４５】
また、ハウジング１２が、ケース４０の開口周縁部４２に対し、ケース４０の内方から係止する内側係止突部３２を有している。この構成によれば、相手側コネクタ５０を離脱する際、内側係止突部３２がケース４０の内方から開口周縁部４２に係止するから、基板用コネクタ１０のハウジング１２がケース４０の外方に変位することを防ぐことができる。
【００４６】
また、外側係止突部３１及び内側係止突部３２のうちケース４０に接する側の面を除いた面に肉抜き３６が形成されている。この構成によれば、外側係止突部３１の外当接面３３及び内側係止突部３２の内当接面３４の面積が、肉抜き３６によって減ることを防ぐことができる。これにより、外側係止突部３１または内側係止突部３２がケース４０に係止する際に外側係止突部３１及び内側係止突部３２にかかる荷重が、外当接面３３及び内当接面３４に肉抜きが形成されている場合に比して広く分散されるので、外側係止突部３１及び内側係止突部３２の耐久性を増すことができる。また、外側係止突部３１と内側係止突部３２との間にケース４０の開口周縁部４２が挿入される際、外当接面３３及び内当接面３４に肉抜きが形成されていないから、開口周縁部４２が外側係止突部３１または内側係止突部３２に引っ掛かりにくいので、基板用コネクタ１０のハウジング１２をスムーズにケース４０に取り付けることができる。
【００４７】
また、外側係止突部３１及び内側係止突部３２のうちケース４０への取り付け方向前端部にテーパ面３８が形成されている。この構成によれば、外側係止突部３１と内側係止突部３２との間にケース４０の開口周縁部４２が挿入される際、開口周縁部４２がテーパ面３８の傾斜によって、外側係止突部３１と内側係止突部３２との間に誘導されるから、基板用コネクタ１０のハウジング１２をスムーズにケース４０に取り付けることができる。
【００４８】
＜他の実施例＞
本発明は上記記述及び図面によって説明した実施例に限定されるものではなく、例えば次のような実施例も本発明の技術的範囲に含まれる。
（１）上記実施例では、ロック構造の一例を示したが、これに限らず、ロック構造の構成は任意に変更することができ、例えば、基板用コネクタにロックアームを、相手側コネクタにロック突起を設ける等してもよい。
（２）上記実施例では、ハウジング１２が内側係止突部３２を備えているが、これに限らず、必ずしも内側係止突部を備えなくてもよい。
（３）上記実施例では、外側係止突部３１及び内側係止突部３２の数、形状及び大きさ等を例示したが、これに限らず、外側係止突部及び内側係止突部の数、形状及び大きさ等は任意に変更することができる。
（４）上記実施例では、外側係止突部３１の前面及び内側係止突部３２の後面に肉抜き３６が形成されているが、これに限らず、肉抜きを設ける面は任意に変更することができる。
（５）上記実施例では、外側係止突部３１及び内側係止突部３２のうちケース４０への取り付け方向における前後両端部にテーパ面３８が設けられているが、これに限らず、テーパ面は、ケースへの取り付け方向における前端部のみに設けても良い。
【符号の説明】
【００４９】
Ｐ…回路基板
１０…基板用コネクタ
１１…端子金具
１２…ハウジング
１７…ロック突起（ロック構造）
２１…壁部
３１…外側係止突部
３２…内側係止突部
３３…外当接面（ケースに接する側の面）
３４…内当接面（ケースに接する側の面）
３６…肉抜き
３８…テーパ面
４０…ケース
４１…開口部
４２…開口周縁部（開口部の周縁部）
５０…相手側コネクタ
５６…ロックアーム（ロック構造）
【図１】
2018097957.tif 000003
【図２】
2018097957.tif 000004
【図３】
2018097957.tif 000005
【図４】
2018097957.tif 000006
【図５】
2018097957.tif 000007
【図６】
2018097957.tif 000008
【図７】
2018097957.tif 000009
【図８】
2018097957.tif 000010
【図９】
2018097957.tif 000011
【手続補正書】
【提出日】平成29年9月29日(2017.9.29)
【手続補正１】
【補正対象書類名】明細書
【補正対象項目名】００１５
【補正方法】変更
【補正の内容】
【００１５】
＜実施例＞
以下、本発明を具体化した一実施例について、図１〜図９を参照しつつ詳細に説明する。
本実施例におけるケース付き基板用コネクタは、回路基板Ｐに接続された基板用コネクタ１０と、回路基板Ｐを内部に収容可能なケース４０とを備えている。基板用コネクタ１０は、相手側コネクタ５０との嵌合面をケース４０の開口部４１からケース４０の外部に露出した状態になっている。ケース４０の開口部４１は、ケース４０の内部と外部とに連通するとともに、基板用コネクタ１０の取り付け方向に開放されている。また、開口部４１の周縁部（以後、開口周縁部４２と称する）は、その外周縁に設けられた段差によって、ケース４０の内側に一段入り込んだ位置に配されている。